(57)【要約】  表面及び裏面にシリンドリカルレンズ状の単位レンズ列が複数並列されたレンチキュラー状の凹凸構造が設けられた拡散シートであって、表面側と裏面側のそれぞれの単位レンズ列の稜線方向が３０°〜９０°の角度で交差していることを特徴とするＬＥＤ照明用の拡散シート、及びこの拡散シートを用いたＬＥＤ照明器具を提供する。  本発明によれば、透光率が高く、輝点を十分に解消することができ、且つ出射光にムラが生じないＬＥＤ照明用拡散シート、及びこの拡散シートを用いたＬＥＤ照明器具が提供される。
2012147653.tif 000002
【特許請求の範囲】
【請求項１】
表面及び裏面にシリンドリカルレンズ状の単位レンズ列が複数並列されたレンチキュラー状の凹凸構造が設けられた拡散シートであって、
表面側の単位レンズ列の稜線方向と裏面側の単位レンズ列の稜線方向とが３０°〜９０°の交差角度で交差していることを特徴とするＬＥＤ照明用の拡散シート。
【請求項２】
単位レンズ列の高さに対するピッチの割合が６以下、ピッチが７００μｍ以下であり、交差角度が６０°〜９０°であることを特徴とする請求項１に記載のＬＥＤ照明用の拡散シート。
【請求項３】
拡散剤を、全光線透過率が８５％以上で、ヘイズが８５％以上になるように含有してなることを特徴とする請求項１又は２に記載の拡散シート。
【請求項４】
拡散剤が架橋ポリアクリレートからなることを特徴とする請求項３に記載の拡散シート。
【請求項５】
直線状に配列したＬＥＤの上に設置する拡散シートであって、
外側になる面の単位レンズ列の稜線方向がＬＥＤの配列方向に対して略直交するように設置されることを特徴とする請求項１乃至３のいずれかに記載の拡散シート。
【請求項６】
直線状に配列したＬＥＤの上に設置する拡散シートであって、
ＬＥＤの配列方向と略平行な軸に沿って湾曲可能であると共に、
外側になる面の単位レンズ列の稜線方向とＬＥＤの配列方向とが略平行になるように設置されることを特徴とする請求項１乃至３のいずれかに記載の拡散シート。
【請求項７】
直線状に配列された複数のＬＥＤと請求項１乃至５のいずれかに記載の拡散シートからなり、拡散シートにおける外側になる面の単位レンズ列の稜線方向とＬＥＤの配列方向とが略直交していることを特徴とする卓上用のＬＥＤ照明器具。
【請求項８】
直線状に配列された複数のＬＥＤと請求項１乃至４、６のいずれかに記載の拡散シートからなり、拡散シートはＬＥＤの配列方向と略平行な軸に沿って湾曲しているとともに、拡散シートにおける外側になる面の単位レンズ列の稜線方向とＬＥＤの配列方向とが略平行であることを特徴とする室内照明用のＬＥＤ照明器具。
【発明の詳細な説明】
【技術分野】
【０００１】
本発明は、発光ダイオード（以下、ＬＥＤと称する）を用いた照明器具においてＬＥＤを覆うように配置される拡散シートに係り、詳しくは、透光率が高く、ＬＥＤの輝点を解消することができ、且つ出射される光の印象を蛍光灯のものに近づけることができる拡散シート及びこれを用いたＬＥＤ照明器具に関する。
【背景技術】
【０００２】
ＬＥＤは消費電力が低く、発光効率が高いため、近年、省エネ型の電球としての使用が広がりつつある。一方、ＬＥＤは基本的に点光源である上に光の指向性が高いため、照明として用いた場合には輝点と呼ばれる特に明るい点が生じてしまい、照明が直接視野に入った際には目を刺激するような不快感がある。このような欠点を解消するため、ＬＥＤを照明として使用する場合は拡散剤が配合された乳白色のカバー等で直射光を遮蔽するなど、光を散乱光にして使用していたが、この方法では透光率が低く、暗くなってしまう。【０００３】
この欠点を解消する手段としては、ＬＥＤを光学的異方性が高いフィルムで覆った照明器具が提案されている（特許文献１参照）。この照明器具によれば、フィルムの透光率は高く、且つ一応は輝点も拡散されて目を刺激するような不快感も幾分は低減される。しかしながら、光は一方向に拡散されるだけで、線状のランプイメージが残り、拡散された光が直接出射する位置とそれ以外の位置の明度差が大きいため、この電灯を直視する際には、なおも違和感が残る。
【先行技術文献】
【特許文献】
【０００４】
【特許文献１】実用新案登録第３１６３９８８号公報
【発明の概要】
【発明が解決しようとする課題】
【０００５】
本発明はかかる実情に鑑み、上記の従来技術の問題点を解消し、透光率が高く、目を刺激する輝点を十分に解消することができ、且つ出射光の印象を蛍光灯に近づけることができるＬＥＤ照明用の拡散シート及びその使用方法を提供することを目的とする。
【課題を解決するための手段】
【０００６】
本発明は下記の（１）〜（８）を特徴とするものである。
（１）本発明は、表面及び裏面にシリンドリカルレンズ状の単位レンズ列が複数並列されたレンチキュラー状の凹凸構造が設けられた拡散シートであって、表面側の単位レンズ列の稜線方向と裏面側の単位レンズ列の稜線方向とが３０°〜９０°の交差角度で交差しているＬＥＤ照明用の拡散シートを内容とする。【０００７】
（２）本発明は、単位レンズ列の高さに対するピッチの割合が６以下、ピッチが７００μｍ以下であり、交差角度が６０°〜９０°である上記の拡散シートを内容とする。【０００８】
（３）本発明は、拡散剤を、全光線透過率が８５％以上で、ヘイズが８５％以上になるように含有してなる上記の拡散シートを内容とする。【０００９】
（４）本発明は、拡散剤が架橋ポリアクリレートからなる上記の拡散シートを内容とする。【００１０】
（５）本発明は、直線状に配列したＬＥＤの上に設置する拡散シートであって、外側になる面の単位レンズ列の稜線方向がＬＥＤの配列方向に対して略直交するように設置される上記の拡散シートを内容とする。【００１１】
（６）本発明は、直線状に配列したＬＥＤの上に設置する拡散シートであって、ＬＥＤの配列方向と略平行な軸に沿って湾曲可能であると共に、外側になる面の単位レンズ列の稜線方向とＬＥＤの配列方向とが略平行になるように設置される上記の拡散シートを内容とする。【００１２】
（７）本発明は、直線状に配列された複数のＬＥＤと上記（１）〜（５）のいずれかに記載の拡散シートからなり、拡散シートにおける外側になる面の単位レンズ列の稜線方向とＬＥＤの配列方向とが略直交している卓上用のＬＥＤ照明器具を内容とする。【００１３】
（８）本発明は、直線状に配列された複数のＬＥＤと上記（１）乃至（４）、（６）のいずれかに記載の拡散シートからなり、拡散シートはＬＥＤの配列方向と略平行な軸に沿って湾曲しているとともに、拡散シートにおける外側になる面の単位レンズ列の稜線方向とＬＥＤの配列方向とが略平行である室内照明用のＬＥＤ照明器具を内容とする。
【発明の効果】
【００１４】
本発明の拡散シートによれば、シリンドリカルレンズ状の単位レンズ列が複数並列されたレンチキュラー状の凹凸構造が表裏両面に設けられると共に、表面側と裏面側で単位レンズ列の稜線方向が３０°〜９０°の交差角度で交差するように構成されているので、透光率が高く、ＬＥＤから発せられる光が２方向に拡散されて目を刺激しない程度に輝点が弱められ、またモアレも発生せず、出射される光のムラが小さくなる。【００１５】
単位レンズ列の高さに対するピッチの割合を６以下とし、単位レンズ列のピッチを７００μｍ以下とし、表裏の単位レンズ列の交差角度を６０°〜９０°とすることにより、ＬＥＤの形状が殆ど見えなくなり、ＬＥＤ照明の表面の見え方が蛍光灯に近くなる。【００１６】
拡散剤を、全光線透過率が８５％以上で、ヘイズが８５％以上になるように含有することにより、照度を余り低下させることなく、輝点による目の刺激を一層緩和するとともに、モアレやランプイメージを一層解消することができる。拡散剤としては、架橋ポリアクリレートが好適である。【００１７】
本発明の拡散シートを直線状に配列したＬＥＤの上に設置する場合において、外側になる面の単位レンズ列の稜線方向がＬＥＤの配列方向に対して略直交するように設置することにより、本発明の拡散シートをＬＥＤの配列方向と略平行な軸に沿って湾曲させた場合でも、ＬＥＤから照射される光が横方向（ＬＥＤの配列方向に対して略直交する方向、以下同じ）に出射されにくくなるので、当該拡散シートを使用した照明の直下照度が高くなり、卓上用の照明として優れている。【００１８】
本発明の拡散シートを直線状に配列したＬＥＤの上に設置する場合において、ＬＥＤの配列方向と略平行な軸に沿って湾曲させると共に、外側になる面の単位レンズ列の稜線方向がＬＥＤの配列方向に対して略平行となるよう設置することにより、ＬＥＤから照射される光が横方向に出射されやすくなるので、当該拡散シートを使用した照明の直下照度と周辺の照度の差が小さくなり、室内全体を照らす照明として優れている。
【図面の簡単な説明】
【００１９】
【図１】図１はＬＥＤ照明用の拡散シートを示す概念説明図である。
【図２】図２は本発明のＬＥＤ照明用の拡散シートにおける単位レンズ列の断面形状を示す概念説明図である。
【図３】図３（ａ）はＬＥＤ照明器具を示す概略説明図であり、（ｂ）は（ａ）のＡ−Ａ断面図である。
【図４】図４（ａ）（ｂ）は、それぞれ図３とは別のＬＥＤ照明器具を示す概略説明図である。
【図５】図５（ａ）は実施例Ａ１のＬＥＤ照明器具を示す概略説明図であり、（ｂ）は（ａ）のＢ−Ｂ断面図、（ｃ）は（ａ）のＣ−Ｃ断面図である。
【図６】図６は実施例Ａ１のランプイメージを示す写真である。
【図７】図７は実施例Ａ５のランプイメージを示す写真である。
【図８】図８は比較例Ａ２のランプイメージを示す写真である。
【図９】図９は比較例Ａ３のランプイメージを示す写真である。
【図１０】図１０は比較例Ａ４のランプイメージを示す写真である。
【図１１】図１１は比較例Ｂ１のランプイメージを示す写真である。
【図１２】図１２は対照例のランプイメージを示す写真である。
【発明を実施するための形態】
【００２０】
本発明における拡散シート１は、例えば図１に示すように、表面及び裏面にシリンドリカルレンズ状の単位レンズ列２が複数並列されたレンチキュラー状の凹凸構造が設けられており、表面側の単位レンズ列の稜線方向と裏面側の単位レンズ列の稜線方向とが３０°〜９０°の交差角度で交差するように構成されていることを特徴とする。
【００２１】
本発明においてシリンドリカルレンズ状とは、断面形状が円弧と直線からなる柱状である所謂シリンドリカルな形状だけでなく、断面形状が楕円弧、放物線等の一方向に曲がった形状と直線からなる柱状も含む。また、レンチキュラー状とは、前記シリンドリカルレンズ状の単位レンズ列が互いに平行に隙間なく並列された形状をいう。
また、本発明において略直交、略平行とは社会通念上の直交、平行をいい、数学上の直交、平行とは違って、５°程度の誤差は許容されることを意味する。
【００２２】
本発明の拡散シートは、拡散シートの表面及び裏面にシリンドリカルレンズ状の単位レンズ列が複数並列されたレンチキュラー状の凹凸構造が設けられている。表裏両面に凹凸構造を設ける方法は特に限定されず、例えばシート状に押し出された樹脂を２つの金属製冷却ロールで挟圧する方法において、両方の金属製冷却ロールの表面に凹凸構造の雌型を刻設しておく方法、シート状に押し出された樹脂を金属製冷却ロールとゴムロールで挟圧する方法において、金属製冷却ロールの表面に凹凸構造の雌型を刻設するとともに、ゴムロール側に凹凸構造の雌型が転写された型フィルムを配置する方法、片面だけに凹凸構造が刻設された２枚の光学シートを接着用樹脂で張り合わせる方法、片面だけに凹凸構造が刻設された２枚の光学シートを重ねて留め具等で留めておく方法等が例示できる。
【００２３】
本発明において拡散シートの素材として用いる樹脂は、透明な樹脂であれば特に限定されず、例えば、アクリル、ポリカーボネート、ポリスチレン、ポリ塩化ビニル、ポリエチレン、ポリプロピレン、ポリメチルペンテン等のポリオレフィン、環状ポリオレフィン、ポリエチレンテレフタレート、ポリブチレンテレフタレート、ポリエチレンナフタレート等のポリエステル、ポリアミド、ポリアリレート、ポリイミド等が挙げられる。
【００２４】
本発明では素材として用いる樹脂に拡散剤等を配合してヘイズを高めてもよい。具体的には拡散シートの全ての部分を拡散剤入りの樹脂で作成してもよいし、２枚の光学シートを張り合わせるための接着剤として拡散剤入りの樹脂を用いてもよい。又は、拡散剤入りの樹脂で片面だけに凹凸構造が設けられた光学シートを作成してこれを通常の樹脂で接着してもよい。
配合する拡散剤としては、ケイ酸アルミニウム、ケイ酸カルシウム、シリカ、アルミナ、炭酸カルシウム等の無機粒子や、架橋ポリアクリレート、架橋ＭＳ樹脂（ＭＭＡとスチレンの共重合体）、シリコン樹脂等の有機粒子が例示できる。
適当な配合量等は、透明樹脂の種類や拡散剤の種類によって異なるため一概には規定できないが、例えば、ＡＳＴＭ  Ｄ１００３に基づき測定する全光線透過率が８５％以上、ヘイズが８５％以上になる程度が好ましく、通常、拡散シートの透明な樹脂１００重量部に対して約０．１〜５．０重量部、好ましくは０．５〜３．０重量部である。この程度の配合量であれば、本発明の拡散シートにより拡散される光を更に拡散し、輝点による眼の刺激を一層緩和し、モアレやランプイメージを好適に解消するとともに、照度の低下も気にならない程度に収まる。
【００２５】
本発明においては、上記の凹凸構造を構成する単位レンズ列の稜線方向が、表面及び裏面で３０°〜９０°、好ましくは６０°〜９０°の交差角度で交差していることを特徴とする。このようにすれば、拡散剤を含む拡散板等を用いた場合と比べて透光率が高く、表面にアクリルビーズ等を付着させた拡散シート等を用いた場合と比べて目を刺激するような輝点を効果的に弱めることができ、また、光学異方性が高いフィルムを用いた場合と比べて光のムラを小さくすることができる。
表面及び裏面の単位レンズ列の稜線方向の交差角度が角度が３０°未満であれば、ＬＥＤの輝点を十分に拡散することができず、モアレも発生するので、当該拡散シートを通してＬＥＤを見た場合、目に刺激を感じることがある。
【００２６】
本発明において、単位レンズ列の高さＨに対するピッチＰの割合Ｐ／Ｈを６以下、好ましくは５以下とし、ピッチＰを７００μｍ以下、好ましくは５００μｍ以下、さらに好ましくは４５０μｍ以下とし、表面と裏面の単位レンズ列の稜線方向の交差角度を６０°〜９０°にすることにより、ＬＥＤから出射された光は一層好適に拡散されて輝点は殆ど無くなり、ＬＥＤのランプイメージを解消することができる。なお、図２に示したように、本発明においてピッチＰとは単位レンズ列２の並列間隔をいい、高さＨとは単位レンズ列２中の最も高い位置と最も低い位置の高度差をいう。単位レンズ列の高さＨに対するピッチＰの割合Ｐ／Ｈの下限は、通常１．５程度が好ましく、ピッチＰの下限は１０μｍ程度が好ましい。
【００２７】
上記のような本発明の拡散シートはＬＥＤの上を覆うように被せて使用する。特に、図３に示したように、基板３ａの上にＬＥＤ４を直線状に配列してその表面側に拡散シート１を配置し、ＬＥＤ４の配列方向と略平行な軸に沿って拡散シート１を湾曲させることにより、本発明の拡散シート１で基板３ａごとＬＥＤ４を覆うようにすれば、外観が蛍光灯のようになり、デザイン的にも違和感が無くなる。
【００２８】
直線状に配列されたＬＥＤを本発明の拡散シート１で覆う場合、拡散シート１の設置角度と湾曲率を変化させることにより、出射される光の指向性を調節できる。
即ち、ＬＥＤ４からは指向性が非常に強い光が出射されるが、本発明の拡散シート１が湾曲されていない状態ではＬＥＤ４からの光を完全には拡散せず、当該拡散シート１からは比較的指向性が強い光が出射される。一方、本発明の拡散シート１を湾曲させた場合、出射面（ＬＥＤ４の上に設置した場合に、外側になる面）の単位レンズ列の稜線方向と平行な軸に沿って湾曲させれば、出射される光は拡散シート１を湾曲させた方向に拡散するので、広範囲を照明するのに適した光が照射される。これに対し、出射面の単位レンズ列の稜線方向と垂直な軸に沿って湾曲させた場合には、湾曲させなかった場合と比較して、出射される光の指向性はさほど変化せず、指向性が強いままである。
【００２９】
上記のような、本発明の拡散シートの性質を利用して、直線状に配列されたＬＥＤと本発明の拡散シートを用いて卓上用照明器具及び室内照明器具を形成させることができる。
卓上用照明器具は、一般に着座した使用者の目の高さの辺りに光源が配置され、使用者が当該光源を至近距離から直視する機会も多いことから、横方向に出射される光が少ないほうが好ましく、即ち、指向性が強いほうが好ましい。従って、卓上用として使用する場合は本発明の拡散シートを湾曲させずに用いるか、又は出射面における単位レンズ列の稜線方向と９０°の軸に沿って湾曲させればよい。
特に、ＬＥＤを直線状に配列して蛍光灯と同様に用いる場合には、デザイン上又は構造上の目的で、ＬＥＤの配列の周りに本発明の拡散シートを巻いたり、あるいはＬＥＤが配列された基板の幅方向端縁付近に拡散シートの端縁を固定して湾曲した状態での使用が要求されることが多いが、このような場合でも、図５に示すように、拡散シートを出射面の単位レンズ列の稜線方向がＬＥＤの配列方向に対して略直交するように設置するとともに、ＬＥＤの配列方向と平行な軸に沿って湾曲させれば、指向性が強い光を照射できる卓上用ＬＥＤ照明を得ることができ、デザイン上又は構造上の要求に対応することができる。
【００３０】
一方、室内照明器具は部屋の天井付近に設置され部屋全体を照明するものであり、照明の直下だけでなくその周辺も含めて満遍なく照明することが望ましく、即ち、拡散性が強いほうが好ましい。従って室内照明器具用として使用する場合は、本発明の拡散シートを出射面の単位レンズ列の稜線方向と平行な軸に沿って湾曲させればよい。
特に、ＬＥＤを直線状に配列して蛍光灯と同様に用いる場合には、本発明の拡散シートを出射面の単位レンズ列の稜線方向とＬＥＤの配列方向が略平行になるように設置して、ＬＥＤの配列方向と略平行な軸に沿って湾曲させれば、照明の直下とその周辺で照度の差が小さい室内照明器具を得ることができる。
なお、図３、図５において、ＬＥＤは１本の直線状に配列されているが、本発明では図４（ａ）（ｂ）に示すように、２本、３本等複数本の直線状に配列しても良い。
無論、デザイン上、蛍光灯の形状を模す必要がない場合は、直線に限らず、マトリックス状にＬＥＤを配列してもよい。
【実施例】
【００３１】
以下、本発明を実施例を挙げて更に詳細に説明するが、本発明はこれら実施例のみに限定されるものではない。【００３２】
（使用する樹脂について）
下記の実施例において、透明樹脂としては帝人化成株式会社製のポリカーボネートの透明樹脂「パンライトＬ−１２２５Ｙ（商品名）」（ＡＳＴＭ  Ｄ１００３に基づく樹脂の光線透過率：９０％、ヘイズ：３％、以下、単に透明樹脂と称する）、拡散性樹脂としては帝人化成株式会社製の拡散材が配合されたポリカーボネートの透明樹脂「パンライトＭＬ−２２０３（商品名）」（ＡＳＴＭ  Ｄ１００３に基づく樹脂の光線透過率：８９％、ヘイズ：８８％、以下、単に拡散性樹脂と称する）、高拡散性樹脂としては帝人化成株式会社製の拡散材が配合されたポリカーボネートの透明樹脂「パンライトＭＬ−１１０５（商品名）」（ＡＳＴＭ  Ｄ１００３に基づく樹脂の光線透過率：５４％、ヘイズ：８７％、以下、単に高拡散性樹脂と称する）を単独で用いた。【００３３】
（拡散シートの製造）
実施例１
透明樹脂を溶融押出の樹脂温度２９５℃でダイスよりシート状に押し出し、押出されたシート状溶融樹脂を、金属製の冷却ロールとゴムロールの間に狭圧する方法において、冷却ロールに表面側の凹凸構造の雌型を刻設するとともに、ゴムロール側に裏面側の凹凸構造が刻設された離型性シート（賦型シート）を配置して拡散シートを製造した。
なお、凹凸構造は表面側及び裏面側の双方とも、ピッチが４３０μｍ、高さが１１１μｍである。表面側の単位レンズ列の稜線方向と裏面側の単位レンズ列の稜線方向の交差角度は９０°である。【００３４】
実施例２
単位レンズ列のピッチ及び高さをそれぞれ５０μｍ、１８μｍにした他は実施例１と同様にして拡散シートを得た。【００３５】
実施例３
単位レンズ列のピッチ及び高さをそれぞれ２５μｍ、１１μｍにした他は実施例１と同様にして拡散シートを得た。【００３６】
実施例４
裏面側の単位レンズ列のピッチ及び高さをそれぞれ２５μｍ、１１μｍにした他は実施例１と同様にして拡散シートを得た。【００３７】
実施例５
使用樹脂を拡散性樹脂に変更すると共に、単位レンズ列のピッチ及び高さをそれぞれ３３７μｍ、８４μｍにした他は実施例１と同様にして拡散シートを得た。【００３８】
実施例６
透明樹脂を溶融押出の樹脂温度２９５℃でダイスよりシート状に押し出し、押出されたシート状溶融樹脂を、金属製の冷却ロールとゴムロールの間に狭圧する方法において、冷却ロールに表面側の凹凸構造の雌型を刻設してレンズシートを製造した。なお、凹凸構造のピッチは１９３μｍ、高さは５７μｍである。
一方、拡散性樹脂を溶融押出の樹脂温度２９５℃でダイスよりシート状に押し出し、押出されたシート状溶融樹脂を、金属製の冷却ロールとゴムロールの間に狭圧する方法でフラットシートを製造した。
上記のように製造したフラットシートの両面にそれぞれ上記のレンズシートを凹凸構造が外側になるように貼り付けて実施例６の拡散シートを得た。なお、表面側の単位レンズ列の稜線方向と裏面側の単位レンズ列の稜線方向の交差角度は９０°である。【００３９】
実施例７
レンズシートを拡散性樹脂製とし、フラットシートを透明樹脂製とし、単位レンズ列のピッチを２５２μｍ、高さを６７μｍとした他は実施例６と同様にして拡散シートを得た。【００４０】
実施例８
透明樹脂を溶融押出の樹脂温度２９５℃でダイスよりシート状に押し出し、押出されたシート状溶融樹脂を、金属製の冷却ロールとゴムロールの間に狭圧する方法において、冷却ロールに表面側の凹凸構造の雌型を刻設して表面側用のレンズシートを製造した。なお、単位レンズ列のピッチは４３０μｍ、高さは１１１μｍである。
一方、単位レンズ列のピッチを２５μｍ、高さを１１μｍにした他は、上記表面側用のレンズシートと同様にして裏面側用のレンズシートを製造した。
上記のように製造したレンズシートを凹凸構造が外側になるように、且つそれぞれの単位レンズ列の稜線方向の交差角度は９０°になるように重ね合わせて拡散シートを得た。【００４１】
実施例９
単位レンズ列のピッチ及び高さをそれぞれ１６３μｍ、２６μｍにした他は実施例１と同様にして拡散シートを得た。【００４２】
実施例１０
単位レンズ列のピッチ及び高さをそれぞれ７９６μｍ、２００μｍにした他は実施例１と同様にして拡散シートを得た。【００４３】
実施例１１
表面側の単位レンズ列の稜線方向と裏面側の単位レンズ列の稜線方向の交差角度を７５°にした他は実施例１と同様にして拡散シートを得た。【００４４】
実施例１２
表面側の単位レンズ列の稜線方向と裏面側の単位レンズ列の稜線方向の交差角度を６０°にした他は実施例１と同様にして拡散シートを得た。【００４５】
実施例１３
表面側の単位レンズ列の稜線方向と裏面側の単位レンズ列の稜線方向の交差角度を４５°にした他は実施例１と同様にして拡散シートを得た。【００４６】
実施例１４
表面側の単位レンズ列の稜線方向と裏面側の単位レンズ列の稜線方向の交差角度を３０°にした他は実施例１と同様にして拡散シートを得た。【００４７】
比較例１
表面側の単位レンズ列の稜線方向と裏面側の単位レンズ列の稜線方向の交差角度を１５°にした他は実施例１と同様にして拡散シートを得た。【００４８】
比較例２
表面側の単位レンズ列の稜線方向と裏面側の単位レンズ列の稜線方向を平行にした他は実施例１と同様にして拡散シートを得た。【００４９】
比較例３
ＰＥＴフィルムの表面にアクリルビーズを付着させた市販の拡散シート（恵和株式会社製、商品名：オパルスＢＳ−９１３、総厚：２７０μm 、ＨＡＺＥ：８９％）を拡散シートとした。【００５０】
比較例４
高拡散性樹脂を溶融押出の樹脂温度２９５℃でダイスよりシート状に押し出し、押出されたシート状溶融樹脂を、金属製の冷却ロールとゴムロールの間に狭圧する方法でフラットシートを製造し、拡散シートとした。【００５１】
実施例Ａ１
図５に示したような、ＬＥＤ４が直線状に配列された基板３ａと、基板３ａの端縁からから斜め上に延伸された反射板３ｂと、反射板３ｂの端縁に設けられた拡散シート取り付け部３ｃを有する照明器具を用意し、実施例１の拡散シートを、外側の単位レンズ列の稜線方向がＬＥＤの配列方向と直交するように、且つＬＥＤ４の配列方向と略平行な軸に沿って拡散シート１が湾曲するように取り付けて照明器具とした。但し、図５に示した拡散シート１の単位レンズ列は模式的なものであり、実際の単位レンズ列は図示したものよりもずっと小さく、肉眼では判別困難である。
ＬＥＤの配列方向に対する単位レンズ列の稜線方向の角度、単位レンズ列のピッチ及び高さについては他の実施例、比較例のものと共に表１に示す。
この照明器具について、直下照度、眼に対する刺激（輝点）の有無、モアレの有無、ＬＥＤランプイメージの有無について測定、判定した。測定・判定結果については他の実施例、比較例のものと共に表１に示す。【００５２】
実施例Ａ２〜Ａ１４、比較例Ａ１〜Ａ４
実施例２〜１４、比較例１〜比較例４の拡散シートを用いた他は実施例Ａ１と同様にして照明器具とした。【００５３】
実施例Ｂ１
外側の単位レンズ列の稜線方向をＬＥＤの配列方向に対して平行にした他は実施例Ａ１と同様にして照明器具とした。【００５４】
比較例Ｂ１
比較例２の拡散シートを用いた他は実施例Ｂ１と同様にして照明器具とした。【００５５】
対照例
拡散シートを用いなかった他は実施例Ａ１と同様にして照明器具とした。【００５６】
【表１】
2012147653.tif 000003
【００５７】
直下照度の測定：
測定装置として、縦３８ｃｍ横５７ｃｍ高さ７５ｃｍで底面がなく上面の中央部に測定用の窓が開けられ内側が黒く塗られた箱と、前記測定用の窓に取り付けられた照度計（オールインワンデジタルマルチメータ  ＭＴ−８２１０：（株）マザーツール社製）からなる測定箱を用いた。
机上に実施例、比較例、対照例の照明器具を上向けに載置した状態で点灯し、３０分以上放置して光量を安定させてから、照度計が照明器具の真上にくるように上記の測定箱を照明器具の上に被せ、照度を測定した。【００５８】
眼に対する刺激（輝点）の有無：
照明器具を横向きに設置し、３ｍ離れた位置から肉眼で観察させ、眼に対する刺激がＬＥＤを直視した場合と蛍光灯を直視した場合のどちらに近いかをパネラー５人により目視判定させた。評価はＬＥＤに近いと答えたパネラーの人数により下記の基準で判定した。
○：０人
△：１〜２人
×：３〜５人【００５９】
モアレの有無：
照明器具を横向きに設置し、３ｍ離れた位置から肉眼で観察させ、モアレを観察できるか否かをパネラー５人により目視判定させた。評価はモアレを観察できたパネラーの人数により下記の基準で判定した。
○：０人
△：１〜２人
×：３〜５人【００６０】
ＬＥＤランプイメージの有無：
照明器具を横向きに設置し、３ｍ離れた位置から肉眼で観察させ、ＬＥＤの位置を判別できるか否かをパネラー５人により目視判定させた。評価はＬＥＤの位置を判別できたパネラーの人数により下記の基準で判定した。
○：０人
△：１〜２人
×：３〜５人【００６１】
なお、図６〜図１２に実施例Ａ１（図６）、実施例Ａ５（図７）、比較例Ａ２（図８）、比較例Ａ３（図９）、比較例Ａ４（図１０）、比較例Ｂ１（図１１）、対称例（図１２）の各照明器具のランプイメージの写真を示す。この写真から、本発明の実施例Ａ１及びＡ５の照明器具では、単に眼に対する刺激が小さくなるだけでなく、ＬＥＤのランプイメージを好適に消すことが出来ることが判る。なお、比較例Ａ３の照明器具もランプイメージが消えているが、分厚く、拡散性の高いフラットシートを使用しているため、光線透過率が低く、本発明の効果を奏していない。
【産業上の利用可能性】
【００６２】
叙上のとおり、本発明に係るＬＥＤ照明用の拡散シート及びこれを用いた照明器具は、表面側と裏面側のそれぞれの単位レンズ列の稜線方向が３０°〜９０°の交差角度で交差しているので、透光率が高く、ＬＥＤの輝点を解消することができ、且つ出射される光の印象を蛍光灯のものに近づけることができ頗る有用である。
【符号の説明】
【００６３】
１  拡散シート
２  単位レンズ列
３  ＬＥＤ照明
３ａ  基板
３ｂ  反射板
３ｃ  拡散シート取り付け部
４  ＬＥＤ
Ｐ  ピッチ
Ｈ  高さ
【図１】
2012147653.tif 000004
【図２】
2012147653.tif 000005
【図３】
2012147653.tif 000006
【図４】
2012147653.tif 000007
【図５】
2012147653.tif 000008
【図６】
2012147653.tif 000009
【図７】
2012147653.tif 000010
【図８】
2012147653.tif 000011
【図９】
2012147653.tif 000012
【図１０】
2012147653.tif 000013
【図１１】
2012147653.tif 000014
【図１２】
2012147653.tif 000015
【国際調査報告】
2012147653.tif 000016
2012147653.tif 000017
2012147653.tif 000018
2012147653.tif 000019